【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
低ドロップアウトレギュレータ（ＬＤＯ）であって、
前記ＬＤＯの出力に結合される第１の入力と、基準電圧に結合される第２の入力と、出力とを含む誤差増幅器であって、前記ＬＤＯの出力電圧と前記基準電圧との間の差に比例する電圧を出力するように動作し得、前記誤差増幅器の出力に応答して設定されるテール電流を有する、前記誤差増幅器と、
前記エラー増幅器に結合される入力と、前記ＬＤＯの出力に結合される出力とを含む第２の増幅器と、
前記エラー増幅器の出力と前記第２の増幅器の入力との間に結合される利得ブースト増幅器であって、前記ＬＤＯの出力上の負荷ステップに応答して前記ＬＤＯのＤＣ利得を変化させるように動作し得る、前記利得ブースト増幅器と、
を含む、ＬＤＯ。
【請求項２】
請求項１に記載のＬＤＯであって、
前記利得ブースト増幅器が、前記ＬＤＯの出力上の負荷ステップに応答して前記誤差増幅器のＤＣ利得を減少させるように更に動作し得る、ＬＤＯ。
【請求項３】
請求項１に記載のＬＤＯであって、
前記出力電圧と前記基準電圧との間の差を示す前記誤差増幅器に応答して前記テール電流が増加され、前記出力電圧と前記基準電圧とが実質的に同じであることを示す前記誤差増幅器に応答して前記テール電流が減少される、ＬＤＯ。
【請求項４】
請求項１に記載のＬＤＯであって、
前記誤差増幅器が、差動増幅器の入力に結合される差動出力を更に含み、前記テール電流が前記差動増幅器の出力に応答して設定される、ＬＤＯ。
【請求項５】
請求項１に記載のＬＤＯであって、
前記利得ブースト増幅器が、前記第２の増幅器を介する電流フローをレギュレートするように更に動作し得る、ＬＤＯ。
【請求項６】
請求項１に記載のＬＤＯであって、
前記利得ブースト増幅器が差動増幅器であり、
前記ＬＤＯが、前記差動増幅器の入力の間に結合されるフィルタを更に含む、ＬＤＯ。
【請求項７】
請求項１に記載のＬＤＯであって、
前記誤差増幅器の出力に結合される共通ゲート増幅器であって、トランジスタに結合される出力を含み、前記誤差増幅器のテール電流を制御するように動作し得る、前記共通ゲート増幅器を更に含む、ＬＤＯ。
【請求項８】
低ドロップアウトレギュレータ（ＬＤＯ）であって、
前記ＬＤＯの出力に結合される第１の入力と、基準電圧に結合される第２の入力とを含む誤差増幅器であって、前記ＬＤＯの出力電圧と前記基準電圧との差に比例する電圧を出力するように動作可能である、前記誤差増幅器と、
前記誤差増幅器に結合される入力と、前記ＬＤＯの出力に結合される出力とを含む第２の増幅器と、
前記誤差増幅器の出力と前記第２の増幅器の入力との間に結合される利得ブースト増幅器であって、前記ＬＤＯの出力上の負荷ステップに応答して前記ＬＤＯのＤＣ利得を変化させるように動作可能である、前記利得ブースト増幅器と、
前記ＬＤＯへの電圧入力と前記ＬＤＯの出力との間に結合されるパストランジスタであって、前記利得ブースト増幅器の入力と前記第２の増幅器の出力とに結合されるゲートと、ドレインと、ソースとを有する、前記パストランジスタと、
を含む、ＬＤＯ。
【請求項９】
請求項８に記載のＬＤＯであって、
第２の増幅器が差動増幅器であり、前記利得ブースト増幅器が差動増幅器であり、
前記パストランジスタのゲートが、前記第２の増幅器の第１の出力と前記利得ブースト増幅器の第１の入力とに結合される、ＬＤＯ。
【請求項１０】
請求項９に記載のＬＤＯであって、
前記第２の増幅器が、前記利得ブースト増幅器の第２の入力に結合される第２の出力を更に含む、ＬＤＯ。
【請求項１１】
低ドロップアウトレギュレータ（ＬＤＯ）を補償するための方法であって、前記ＬＤＯが、テール電流を有する誤差増幅器と、前記誤差増幅器に結合される第２の増幅器とを含み、前記方法が、
前記ＬＤＯの出力電圧に比例する第１の電圧を受け取ることと、
前記誤差増幅器を用いて前記第１の電圧を基準電圧と比較することと、
前記第１の電圧を前記基準電圧と比較することに応答して前記誤差増幅器の利得を変更することであって、前記利得を変更することが前記ＬＤＯの出力に利得ブーストを提供し、前記利得を変更することが前記テール電流を変更することを含む、前記利得を変更することと、
前記比較することに応答して前記ＬＤＯのＤＣ利得を変更することであって、前記ＬＤＯのＤＣ利得を変更することが、前記第１の電圧と前記基準電圧との間の差を低減する、前記ＬＤＯのＤＣ利得を変更することと、
を含む、方法。
【請求項１２】
請求項１１に記載の方法であって、
前記テール電流を変更することが、
前記出力電圧が前記基準電圧と異なることに応答して前記テール電流を増加させることと、
前記出力電圧が前記基準電圧と実質的に同じであることに応答して前記テール電流を減少させることと、
を含む、方法。
【請求項１３】
請求項１１に記載の方法であって、
前記第２の増幅器が、前記第２の増幅器の利得に比例する電流フローを有し、
前記比較することに応答して前記ＬＤＯのＤＣ利得を変更することが、前記第２の増幅器を介する前記電流フローを変更することを含む、方法。
【請求項１４】
低ドロップアウトレギュレータ（ＬＤＯ）であって、
入力電圧に結合するための入力と、
出力電圧を提供するための出力と、
前記入力と前記出力との間に結合されるパストランジスタと、
前記出力電圧を基準電圧と比較し、前記出力電圧と前記基準電圧との間の差に比例する誤差信号を生成するように動作し得る誤差増幅器と、
前記誤差信号に応答して前記誤差増幅器の利得を制御するための回路要素と、
前記パストランジスタのゲートへの出力を含む第２の増幅器と、
前記第２の増幅器の利得を制御するための電流レギュレータと、
前記誤差増幅器と前記第２の増幅器との間に結合される利得ブースト増幅器であって、前記電流レギュレータを制御する、前記利得ブースト増幅器と、
前記利得ブースト増幅器の差動入力の間に結合されるフィルタと、
を含む、ＬＤＯ。
【請求項１５】
請求項１４に記載のＬＤＯであって、
前記電流レギュレータが、前記利得ブースト増幅器の出力に結合されるゲートを有するトランジスタである、ＬＤＯ。
【請求項１６】
低ドロップアウトレギュレータ（ＬＤＯ）であって、
ＬＤＯ入力と、
ＬＤＯ出力と、
第１のＥＡ入力と第２のＥＡ入力と第１のＥＡ出力と第２のＥＡ出力とを含む誤差増幅器（ＥＡ）であって、
第１の電流端子と、前記第１のＥＡ出力に結合される第２の電流端子と、前記第１のＥＡ入力に結合される第１の制御端子とを有する第１のトランジスタと、
前記第１の電流端子に結合される第３の電流端子と、前記第２のＥＡ出力に結合される第４の電流端子と、前記ＬＤＯ出力に結合される第２の制御端子とを有する第２のトランジスタと、
を含む、前記誤差増幅器と、
第５の電流端子と、第６の電流端子と、前記第５の電流端子に結合される第３の制御端子とを有する第３のトランジスタと、
第１の供給電位を有する第１の供給レールに結合される第７の電流端子と、前記第１の供給電位と異なる第２の供給電位を有する第２の供給レールに結合される第８の電流端子と、パス制御端子とを有するパストランジスタと、
前記第３の電流端子に結合される第１のＧＢＡ入力と、前記第３の電流端子に結合される第２のＧＢＡ入力と、ＧＢＡ出力とを含む利得ブースト増幅器（ＧＢＡ）であって、前記第３の制御端子における電位を前記パス制御端子における電位に追随させるように動作可能である、前記利得ブースト増幅器と、
を含む、ＬＤＯ。